(57)【要約】【課題】不要な残留オゾンの供給抑制や、不要な残留オゾンを能動的に酸化・消滅を行うことで、より安全にオゾンを利用した洗濯ができる洗濯機を提供すること。【解決手段】本発明の洗濯機では、残留オゾン量を検出するオゾン検出器２０１を用いて検出された残留オゾン量をもとに、適正なオゾン量が供給されるようにオゾン発生装置１０４またはオゾン注入装置１０５を制御することで過剰なオゾンの発生を抑制する。【選択図】図１
2009061208.tif 000002
【特許請求の範囲】
【請求項１】
筺体内において密閉が可能な洗濯槽と、前記洗濯槽より吐出された洗濯水を一時的に貯水する密閉構造の貯水槽と、オゾンを発生させるためのオゾン発生装置と、前記オゾン発生装置で発生したオゾンを前記貯水槽に貯水された洗濯水に注入・溶解させるオゾン注入装置と、前記洗濯槽と前記貯水槽および前記貯水槽と前記オゾン注入装置を循環させる循環路と、前記オゾン注入装置でオゾンを注入した洗濯水を前記貯水槽に強制的に送出するオゾン水送出ポンプと、前記循環路を介して前記貯水槽から洗濯水を強制的に循環させる循環ポンプとを備え、前記貯水槽内で貯水された洗濯水にオゾンを注入・溶解させた際、洗濯水に溶解せずに前記貯水槽の気中に排出されるオゾンを検出するオゾン検出器と、前記オゾン検出器により検出されたオゾン量に応じて、前記オゾン発生装置または前記オゾン注入装置の動作を制御する制御回路部とを備え、最適なオゾン量を含んだ洗濯水の供給、洗濯水の浄化および前記貯水槽の清掃を行うことができるようにした洗濯機。
【請求項２】
オゾン検出器が余剰なオゾンを検出した際に、制御回路部によってオゾン発生装置からのオゾンを停止し、貯水槽内の空気を取り込んで循環させ余剰なオゾンの酸化・消滅を促進することを可能としたオゾン消滅制御装置を具備し、前記貯水槽内を最適なオゾン量に制御できるようにした請求項１記載の洗濯機。
【請求項３】
オゾン検出器が余剰なオゾンを検出した際に、制御回路部によってオゾン発生装置からのオゾンを停止し、外気と貯水槽内の空気を混合して循環させ余剰なオゾンの酸化・消滅を促進することを可能としたオゾン消滅制御装置を具備し、前記貯水槽内を最適なオゾン量に制御できるようにした請求項１記載の洗濯機。
【請求項４】
オゾン検出器により検出されたオゾン量に応じて、オゾン発生装置またはオゾン注入装置の動作を制御するとともに、オゾン水送出ポンプの送出量を制御することによりオゾン水の供給量を変え、最適なオゾン量で洗濯水の供給、洗濯水の浄化および前記貯水槽の清掃を行うことができるようにした請求項１〜３のいずれか１項に記載の洗濯機。
【請求項５】
筐体内において密閉が可能な洗濯槽と、前記洗濯槽に接続された送出路と前記送出路を介して前記洗濯槽にオゾンを含んだ空気を供給するオゾン発生装置とを備え、前記洗濯槽内にオゾンを送出した際、洗濯物を清浄・脱臭して酸化・消滅せずに前記洗濯槽の気中に余剰に排出されたオゾンを検出するオゾン検出器と、前記オゾン検出器により検出されたオゾン量に応じて、前記オゾン発生装置の動作を制御する制御回路部とを備え、最適なオゾン量で、洗濯物を清浄・脱臭することができるようにした洗濯機。
【請求項６】
オゾン検出器が余剰なオゾンを検出した際に、制御回路部によってオゾン発生装置からのオゾンを停止し、洗濯槽内の空気を取り込んで循環させ余剰なオゾンの酸化・消滅を促進することを可能としたオゾン消滅制御装置を具備し、前記洗濯槽内を最適なオゾン量に制御できるようにした請求項５記載の洗濯機。
【請求項７】
オゾン検出器が余剰なオゾンを検出した際に、制御回路部によってオゾン発生装置からのオゾンを停止し、外気と洗濯槽内の空気を混合して循環させ余剰なオゾンの酸化・消滅を促進することを可能としたオゾン消滅制御装置具備し、前記洗濯槽内を最適なオゾン量に制御できるようにした請求項５記載の洗濯機。
【請求項８】
オゾン消滅制御装置において、オゾン検出器が余剰なオゾンを検出した際、取り込んで循環させる空気に対し振動を加え、その強弱を制御することのできる加振装置を具備することにより、余剰なオゾンの酸化・消滅の速さを制御することができるようにした請求項３または６に記載の洗濯機。
【発明の詳細な説明】
【技術分野】
【０００１】
本発明は、オゾンを発生させるオゾン発生装置と、オゾンを洗濯水に溶解させるオゾン注入装置と、オゾン注入されたオゾン溶解水を貯水槽に戻すオゾン水送出ポンプとを備え、貯水槽内に生成されたオゾン溶解水を用いて洗濯または洗濯水そのものの浄化、貯水槽の清掃を行うことができる洗濯機や、洗濯槽にオゾンを供給するオゾン発生装置を備え、前記オゾン発生装置で発生したオゾンを含む空気をそのまま洗濯槽に送出することで、洗濯槽内にてオゾンの清浄効果、脱臭効果を用いて洗濯物の清浄、脱臭を行うことができる洗濯機に関するものである。
【背景技術】
【０００２】
従来、洗濯に使用する洗濯水は、排水を伴うすすぎ洗濯において水を多量に使用するという課題があった。このため、オゾンを用いてすすぎ洗濯水の浄化を行うことで水の再利用を可能にして節水を図ったり、オゾンの清浄・脱臭効果を用いて洗濯水を使用しないで予備洗浄を行ったりできるという利点から、オゾンを用いた節水可能な洗濯装置が採用されつつある。
【０００３】
これら、オゾンを用いて洗濯水の浄化とその再利用または予備洗浄を行う洗濯装置では、オゾンを洗濯水の浄化や予備洗浄に用いるために、オゾン発生装置と発生したオゾンを洗濯水に注入するための注入装置、貯水した洗濯水を循環するための循環ポンプを用いて、オゾン溶解水を洗濯槽で使用する必要がある。
【０００４】
図６に従来のオゾンを用いた洗濯装置のブロック図を示す。以下、図６を参照して従来のオゾンを用いた洗濯装置の動作について簡単に説明する。
【０００５】
洗濯槽９１の洗濯水は、例えば節水モードに設定されるとすすぎ洗いの工程において、前記洗濯槽９１に接続された循環路１を介し、排水制御信号により排水制御部９２が開いて循環路２を介して吐き出され、一時的に貯水槽９３に貯水される。
【０００６】
一方、前記オゾン発生装置９４は、オゾン発生制御信号の指示により吸入路９から外気を吸入して発生したオゾンが送出路８を介してオゾン注入装置９５に送られる。また、循環路５を介して貯水槽９３からオゾン注入装置９５に送られた洗濯水は、前述の送出路８を介してオゾン注入装置９５に送られたオゾンがオゾン注入制御信号の指示でオゾン注入装置９５により注入されオゾン溶解水となり、循環路６を介してオゾン水送出ポンプ９７によって循環路７から再び貯水槽９３に戻される。
【０００７】
このようにして貯水槽９３内に生成されたオゾン溶解水は、循環路３から循環ポンプ制御信号により循環ポンプ９６が駆動し、循環路４を介して洗濯槽９１に戻されることでオゾン溶解水による洗濯を行うことができる。
【０００８】
また、貯水槽９３内で洗濯水の浄化を行うこともでき、浄化された洗濯水は、次回の洗濯時に同じく循環路３から循環ポンプ制御信号の指示により循環ポンプ９６を用いて洗濯槽に戻されることにより、再利用することが可能である。なお、貯水槽９３そのものの浄化を同じ工程にて行うこともできる。以上のような工程の制御は、各々の装置、制御部を制御回路部９８が各制御信号を制御することにより実現している。
【０００９】
さらに、オゾンそのものの清浄性、脱臭性を活かして、洗濯水を使用しないで衣類や生活用品の清浄、脱臭を行うことができ、節水モードに設定された場合等において、洗濯水を使用した洗濯を行う前に前述の清浄、脱臭を行うことができる。
【００１０】
この場合、前記洗濯槽９１には洗濯水は入れられず洗濯物のみが入った状態になっており、前記制御回路部９８からのオゾン発生制御信号の指示によって前記オゾン発生装置９４にて発生したオゾンが送出路１０を介して前記洗濯槽９１に送られ、オゾンによる清浄・脱臭を行うことができる。以上のような工程の制御についても、各々の装置、制御を制御回路部９８が制御することにより実現している。
【特許文献１】特開２００３−２３６２８７号公報
【特許文献２】特開２００７−９８０３３号公報
【特許文献３】特開２００７−１１１１３２号公報
【発明の開示】
【発明が解決しようとする課題】
【００１１】
しかしながら上記従来の構成では、オゾン発生装置で発生したオゾン量が適量であるかどうかを精確に検知する方法が搭載されていなかった。また、オゾンの発生と消滅を能動的に制御する仕組みがなかったので、オゾンが不必要に発生しないように適時止めたり、余剰なオゾンを能動的に速やかに酸化・消滅させることができなかった。そのため従来の構成では、有害なオゾンが完全に自然酸化・消滅するまでの推定待ち時間を十分に設ける必要があった。
【００１２】
具体的には、従来の構成では、残留オゾンが自然酸化・消滅し切るために十分と思われる時間分の待ち時間を設けるに止まっている。また、使用時に発生するオゾン量についても、あらかじめ決められた所定の推定必要量を発生させていた。
【００１３】
そのため、工程途中で停止をした場合は、残留オゾンが自然に酸化・消滅する最大の推定時間分だけ待たねばならず、その間の洗濯槽のドア開閉などを禁止している。このときオゾン量は検出していないので、定量的に残留オゾンがどの程度存在しているか、あるいはどの程度酸化・消滅できているかは不明である。また万一、オゾン発生装置からのオゾン発生量が想定外に多量になったり、自然酸化が不十分な状況に陥った場合、その安全性に問題がある。
【００１４】
これらを回避するには、オゾンを注入する洗濯水の貯水槽または洗濯槽において、オゾン量を検知する仕組みと、その検知した結果を基にオゾン発生装置またはオゾン注入装置を制御して適正なオゾン量を保つ必要がある。また、残留オゾンを酸化・消滅させるにおいても、検知された残留オゾン量に応じて、残留オゾンの酸化・消滅を促進・制御するための仕組みをあらかじめ搭載しておく必要がある。
【００１５】
本発明は上記課題を解決するため、残留オゾン量を検出する装置を用いて検出されたオゾン量を基に、適正なオゾン量が供給または注入されるよう制御することが可能な洗濯機の提供を目的とする。更に、洗濯状態に応じてオゾン量を制御して有害な残留オゾン量の発生を抑制しながら、これら残留オゾンを適時能動的に酸化・消滅するように制御することが可能な洗濯機の提供を目的とする。
【課題を解決するための手段】
【００１６】
上記課題を解決するために、本発明の洗濯機は、筺体と、筺体内において密閉が可能な洗濯槽と、前記洗濯槽に接続された循環路と、前記洗濯槽より吐き出された洗濯水を一時的に貯水する密閉可能な貯水槽と、前記貯水槽にオゾンを供給するオゾン発生装置と、前記オゾン発生装置で発生したオゾンを前記貯水槽に貯水された洗濯水に注入・溶解させるオゾン注入装置と、前記オゾン注入装置でオゾンを注入した洗濯水を前記貯水槽に強制的に送出するオゾン水送出ポンプと、前記循環路を介して前記貯水槽から洗濯水を強制的に循環させる循環ポンプとを備え、前記貯水槽内で貯水された洗濯水にオゾンを注入・溶解させた際、洗濯水に溶解せずに前記貯水槽の気中に排出されるオゾンを検出するオゾン検出器と、前記オゾン検出器により検出されたオゾン量に応じて、前記オゾン発生装置または前記オゾン注入装置の動作を制御する制御回路部とを備え、最適なオゾン量を含んだ洗濯水の供給、洗濯水の浄化および前記貯水槽の清掃を行うことができるようにしたものである。
【００１７】
更に、オゾン検出器が余剰なオゾンを検出した際、制御回路部によってオゾン発生装置からのオゾンを停止し、貯水槽内の空気を取り込んで攪拌して循環させ余剰なオゾンの酸化・消滅を促進することを可能としたオゾン消滅制御装置を具備し、前記貯水槽内を最適なオゾン量に制御できるようにしたものである。
【００１８】
また、洗濯水を使用する前段階である予備洗濯等においては、洗濯槽に接続された送出路と、前記送出路を介して前記洗濯槽にオゾンを含んだ空気を供給するオゾン発生装置とを備え、前記洗濯槽内にオゾンを送出した際、洗濯物の汚れ成分に作用し清浄・脱臭して酸化・消滅することなく前記洗濯槽の気中に余剰に排出されたオゾンを検出するオゾン検出器と、前記オゾン検出器により検出されたオゾン量に応じて、前記オゾン発生装置の動作を制御する制御回路部とを備え、オゾンが洗濯槽に過度に流入しないように、最適なオゾン量で洗濯物を清浄・脱臭することができるようにしたものである。
【００１９】
更に、洗濯水を使用する前段階である予備洗濯等においては、オゾン検出器が余剰なオゾンを検出した際に、制御回路部によってオゾン発生装置からのオゾンを停止し、洗濯槽内の空気を取り込んで攪拌して循環させ余剰なオゾンの酸化・消滅を促進することを可能としたオゾン消滅制御装置を具備し、前記洗濯槽内を最適なオゾン量に制御できるようにしたものである。
【発明の効果】
【００２０】
本発明の洗濯機およびその制御方法によれば、貯水槽の気中に排出されるオゾンを検出するオゾン検出器により検出されたオゾン量に応じて、オゾン発生装置または前記注入装置の動作を制御することにより、最適なオゾン量で洗濯または洗濯水の浄化、前記貯水槽の清掃を行うことができる。
【００２１】
また、前述したオゾンの清浄・脱臭効果を用い、洗濯水を使用する前段階である予備洗濯等においても、洗濯槽に余剰に排出されたオゾンを検出するオゾン検出器により検出されたオゾン量に応じて、オゾン発生装置または前記送出装置の動作を制御することにより、最適なオゾン量で、洗濯物を清浄・脱臭することができる。
【００２２】
その結果、オゾンをより安全に利用して、洗濯を行うことができる。
【発明を実施するための最良の形態】
【００２３】
第１の発明は、筺体内において密閉が可能な洗濯槽と、前記洗濯槽に接続された循環路と、前記洗濯槽より吐出された洗濯水を一時的に貯水する密閉構造の貯水槽と、オゾンを発生させるためのオゾン発生装置と、前記オゾン発生装置で発生したオゾンを前記貯水槽に貯水された洗濯水に注入・溶解させるオゾン注入装置と、前記オゾン注入装置でオゾンを注入した洗濯水を前記貯水槽に強制的に送出するオゾン水送出ポンプと、前記循環路を介して前記貯水槽から洗濯水を強制的に循環させる循環ポンプとを備え、前記貯水槽内で貯水された洗濯水にオゾンを注入・溶解させた際、洗濯水に溶解せずに前記貯水槽の気中に排出されるオゾンを検出するオゾン検出器と、前記オゾン検出器により検出されたオゾン量に応じて、前記オゾン発生装置または前記オゾン注入装置の動作を制御する制御回路部を設けたものである。
【００２４】
これにより、最適なオゾン量を含んだ洗濯水の供給、洗濯水の浄化および前記貯水槽の清掃を行うことができるようにしたものである。
【００２５】
第２の発明は、第１の発明において、オゾン検出器が余剰なオゾンを検出した際に、制御回路部によってオゾン発生装置からのオゾンを停止し、貯水槽内の空気を取り込んで攪拌して循環させ余剰なオゾンの酸化・消滅を促進することを可能としたオゾン消滅制御装置を具備したものである。これにより、前記貯水槽内を最適なオゾン量に制御できるようにしたものである。
【００２６】
第３の発明は、第１の発明において、オゾン検出器が余剰なオゾンを検出した際に、制御回路部によってオゾン発生装置からのオゾンを停止し、外気と貯水槽内の空気を混合して攪拌し循環させ余剰なオゾンの酸化・消滅を促進することを可能としたオゾン消滅制御装置を具備したものである。これにより、前記貯水槽内を最適なオゾン量に制御できるようにしたものである。
【００２７】
第４の発明は、第１〜第３の発明において、オゾン検出器により検出されたオゾン量に応じて、オゾン発生装置またはオゾン注入装置の動作を制御するとともに、オゾン水送出ポンプの送出量を制御することによりオゾン水の供給量を変えることにより、最適なオゾン量で洗濯水の供給、洗濯水の浄化および前記貯水槽の清掃を行うことができるようにしたものである。
【００２８】
第５の発明は、筐体内において密閉が可能な洗濯槽と、前記洗濯槽に接続された送出路と前記送出路を介して前記洗濯槽にオゾンを含んだ空気を供給するオゾン発生装置とを備え、前記洗濯槽内にオゾンを送出した際、洗濯物を清浄・脱臭して酸化・消滅せずに前記洗濯槽の気中に余剰に排出されたオゾンを検出するオゾン検出器と、前記オゾン検出器により検出されたオゾン量に応じて、前記オゾン発生装置の動作を制御する制御回路部とを設けたものである。
【００２９】
これにより、最適なオゾン量で、洗濯物を清浄・脱臭することができるようにしたものである。
【００３０】
第６の発明は、第５の発明において、オゾン検出器が余剰なオゾンを検出した際に、制御回路部によってオゾン発生装置からのオゾンを停止し、洗濯槽内の空気を取り込んで攪拌して循環させ余剰なオゾンの酸化・消滅を促進することを可能としたオゾン消滅制御装置を具備したものである。これにより、前記洗濯槽内を最適なオゾン量に制御できるようにしたものである。
【００３１】
第７の発明は、第５の発明において、オゾン検出器が余剰なオゾンを検出した際に、制御回路部によってオゾン発生装置からのオゾンを停止し、外気と洗濯槽内の空気を混合して攪拌し循環させ余剰なオゾンの酸化・消滅を促進することを可能としたオゾン消滅制御装置具備したものである。これにより、前記洗濯槽内を最適なオゾン量に制御できるようにしたものである。
【００３２】
第８の発明は、第３または第６の発明において、オゾン消滅制御装置において、オゾン検出器が余剰なオゾンを検出した際、取り込んで循環させる空気に対し振動を加え、その強弱を制御することのできる加振装置を具備したものである。これにより、余剰なオゾンの酸化・消滅の速さを制御することができるようにしたものである。
【００３３】
以下、本発明の実施の形態について、図面を参照しながら説明する。なお、本実施の形態によって本発明が限定されるものではない。
【００３４】
（実施の形態１）
図１は、本発明の実施の形態１における洗濯装置のブロック図である。
【００３５】
図１において、洗濯槽１０１の洗濯水は、例えば節水モードに設定されると、すすぎ洗いの工程において、前記洗濯槽１０１に接続された循環路１１を介し、排水制御信号により排水制御部１０２が開いて循環路１２を介して吐き出され、一時的に貯水槽１０３に貯水される。
【００３６】
一方、前記オゾン発生装置１０４はオゾン発生制御信号の指示により吸入路１９から外気を吸入し発生したオゾンを送出路１８を介してオゾン注入装置１０５に送る。循環路１５を介して前記オゾン注入装置１０５に送られた洗濯水は、送出路１８を介して前記オゾン注入装置１０５に送られたオゾンをオゾン注入制御信号の指示により同装置にて注入されてオゾン溶解水となり、循環路１６を介してオゾン水送出ポンプ１０７によって循環路１７から再び前記貯水槽１０３に戻される。
【００３７】
ここで、前記貯水槽１０３内に洗濯水に溶解されないオゾンが発生した際、前記貯水槽１０３内のオゾン検出器２０１は、そのオゾン量に比例したオゾン検出信号を制御回路部１０８に発する。制御回路部１０８はオゾン量が過度に適正値を越える前に、前記オゾン発生装置１０４および前記オゾン注入装置１０５の動作を停止する。
【００３８】
なお、オゾン検出器２０１はオゾンの化学的な反応から生じる電荷または電流値を検出し、オゾン量とこの電荷または電流値が比例関係となることを利用してオゾン検出信号を制御回路部１０８に送出するものである。
【００３９】
この後、循環ポンプ制御信号により、貯水槽１０３内のオゾン溶解水が循環路１３を介して循環ポンプ１０６により循環路１４を介して洗濯槽１０１に戻されることでオゾン溶解水による洗濯を行う。以上の動作制御により、残留オゾンが洗濯槽１０１に過度に発生しないように抑制することができる。
【００４０】
このように、本実施の形態では、貯水槽１０３内に洗濯水に溶解されないオゾンが発生した際、貯水槽１０３内のオゾン検出器２０１がオゾン量に比例したオゾン検出信号を制御回路部１０８に発することで、前記制御回路部１０８によりオゾン量が過度に適正値を越える前に、オゾン発生装置１０４およびオゾン注入装置１０５の動作を停止させ、過度の残留オゾンが洗濯槽１０１に発生しないように抑制することを可能としている。
【００４１】
また、オゾン検出量に応じて前記制御回路部１０８からの指示により前記オゾン水送出ポンプ１０７の水量制御を利用して前記貯水槽１０３に供給するオゾン水量を制御することにより、更に精細に過度にオゾンが発生しないよう制御することが可能である。
【００４２】
（実施の形態２）
図２は、本発明の実施の形態２における洗濯装置のブロック図である。
【００４３】
図２では、オゾンそのものの洗浄性、脱臭性を活かして、予備洗浄等で洗濯水を使用しないで衣類や生活用品の清浄、脱臭を行う場合の動作を示しており、以下の動作・工程にて洗濯水を使用した洗濯を行う前に前述の清浄、脱臭を行うことができる。
【００４４】
この場合、洗濯槽１０１には洗濯水は入れられず洗濯物のみが入った状態になっており、図２の排水制御部１０２、循環路１１〜１７、送出路１８、循環ポンプ１０６、オゾン注入装置１０５、オゾン水送出ポンプ１０７は、停止または閉鎖状態となる。
【００４５】
一方、制御回路部１０８からのオゾン発生制御信号の指示によってオゾン発生装置１０４にて発生したオゾンが送出路２０介して前記洗濯槽１０１に送られ、オゾンによる清浄・脱臭を行うことができる。
【００４６】
このとき、前記洗濯槽１０１内で清浄・脱臭に使われず余剰となるオゾンが発生した際、前記洗濯槽１０１内のオゾン検出器３０１はそのオゾン量に比例したオゾン検出信号を前記制御回路部１０８に発する。前記制御回路部１０８はオゾン量が過度に適正値を越える前に、前記オゾン発生装置１０４の動作を停止する。
【００４７】
このように、本実施の形態では、前記洗濯槽１０１内で清浄・脱臭に使われず余剰となるオゾンが発生した際、前記洗濯槽１０１内の前記オゾン検出器３０１がオゾン量に比例したオゾン検出信号を前記制御回路部１０８に発して、前記制御回路部１０８によりオゾン量が過度に適正値を越える前に、前記オゾン発生装置１０４の動作を停止させ、過度の残留オゾンが前記洗濯槽１０１に流入しないように抑制することを可能としている。
【００４８】
（実施の形態３）
図３は、本発明の実施の形態３における洗濯装置のブロック図である。
【００４９】
本実施の形態においては、オゾン消滅制御装置４０１を貯水槽１０３内に設けており、その他の構成は実施の形態１と同様である。
【００５０】
図３において、貯水槽１０３内に洗濯水に溶解されないオゾンが発生した際、前記貯水槽１０３内のオゾン検出器２０１はそのオゾン量に比例したオゾン検出信号を制御回路部１０８に発する。前記制御回路部１０８はオゾン量が過度に適正値を越える前に、オゾン発生装置１０４およびオゾン注入装置１０５の動作を停止する。更にオゾン消滅制御装置４０１は前記制御回路部１０８からのオゾン消滅制御信号の指示により、前記貯水槽１０３内に残留したオゾンがそのまま停留しないよう能動的に酸化・消滅を促進してオゾン量が過度に適正値を越えることを抑制している。この後、前記貯水槽１０３の洗濯水が循環ポンプ制御信号により前記循環ポンプ１０６を介して前記洗濯槽１０１に戻されることでオゾン溶解水による洗濯が行なわれ、残留オゾンが洗濯槽１０１に発生しないように抑制することができる。
【００５１】
このように、本実施の形態では、前記貯水槽１０３内に洗濯水に溶解されないオゾンが発生した際、前記貯水槽１０３内の前記オゾン検出器２０１がオゾン量に比例したオゾン検出信号を前記制御回路部１０８に発することで、前記制御回路部１０８によりオゾン量が過度に適正値を越える前に、前記オゾン発生装置１０４および前記オゾン注入装置１０５の動作を停止させ、過度の残留オゾンが前記洗濯槽１０１に流入しないように抑制することを可能としている。更にオゾン消滅制御装置により貯水槽内に残留オゾンが停留しないよう能動的に酸化・消滅を促進してオゾン量を抑制している。
【００５２】
また、オゾン検出量に応じて前記制御回路部１０８からの指示により前記オゾン水送出ポンプ１０７の水量制御を利用して前記貯水槽１０３に供給するオゾン水量を制御することにより、更に精細に過度にオゾンが発生しないよう制御することが可能である。
【００５３】
（実施の形態４）
図４は、本発明の実施の形態４における洗濯装置のブロック図である。
【００５４】
本実施の形態においては、オゾン消滅制御装置５０１を洗濯槽１０３と連通させるように設けており、その他の構成は実施の形態２と同様である。
【００５５】
図４では、洗濯槽１０１内で清浄・脱臭に使われず余剰となるオゾンが発生した際、前記洗濯槽１０１内のオゾン検出器３０１はそのオゾン量に比例したオゾン検出信号を制御回路部１０８に発する。前記制御回路部１０８はオゾン量が過度に適正値を越える前に、オゾン発生装置１０４の動作を停止する。
【００５６】
更にオゾン消滅制御装置１０４は、前記制御回路部１０８からのオゾン消滅制御信号の指示により前記洗濯槽１０１内に残留したオゾンがそのまま停留しないよう能動的に酸化・消滅を促進してオゾン量が過度に適正値を越えることを抑制している。
【００５７】
なお、本実施の形態においては、オゾン消滅制御装置５０１が洗濯槽１０１の外部に設けられ洗濯槽１０１と連通した構成としているが、オゾン消滅装置５０１を洗濯槽１０１の内部に設けてもよい。
【００５８】
このように、本実施の形態では、前記洗濯槽１０１内で清浄・脱臭に使われず余剰となるオゾンが発生した際、前記洗濯槽１０１内の前記オゾン検出器３０１がオゾン量に比例したオゾン検出信号を前記制御回路部１０８に発することで、前記制御回路部１０８によりオゾン量が過度に適正値を越える前に、前記オゾン発生装置１０４の動作を停止させ、過度の残留オゾンが前記洗濯槽１０１に流入しないように抑制することを可能としている。
【００５９】
ここで、前述した図３または図４において記載のオゾン消滅制御装置の一例を図５に示し、その動作を以下に説明する。
【００６０】
図５でオゾン消滅制御装置内の制御回路部６０１は、洗濯装置の前記制御回路部１０８からの指示であるオゾン消滅制御信号にて動作を開始する。まず、貯水槽１０３内または洗濯槽１０１内のオゾンを含む空気を吸入制御信号により槽内吸入装置６０３にてオゾン消滅管６０２に取り込む。オゾン消滅管は内部が図５に示すように複数の空間になっており、オゾンの不安定性を利用して、壁面との衝撃や空気との接触によって酸化・消滅しやすくする構造となっている。取り込まれた槽内の空気はオゾン消滅管を通過したのち、循環排出制御信号により循環排出装置６０６により前記貯水槽１０３または前記洗濯槽１０１に戻される。
【００６１】
なお、オゾン消滅制御装置内の制御回路部６０１は外気導入制御信号により外気導入装置６０４を動作させて前記オゾン消滅管６０２内に新たな外気を入れることができるようにしてもよい。また、オゾン消滅制御装置内の前記制御回路部６０１は排出制御信号により排出装置６０７を動作させて前記オゾン消滅管６０２内の空気を外気に排出することができるようにしてもよい。
【００６２】
以上のような構造と制御により、より能動的にオゾンの酸化・消滅を促進することを可能としている。
【００６３】
前述した図３において、貯水槽１０３内のオゾン消滅制御装置４０１は、オゾン検出部６０５でオゾンが多量に検出された場合、オゾン消滅制御装置内の制御回路部６０１は外気導入制御信号により外気導入装置６０４を動作させてオゾン消滅管６０２内に新たな外気を入れることができるようにし、オゾン検出部６０５で検出したオゾン量が十分排出できる程度に下がった場合、前記オゾン消滅制御装置内の前記制御回路部６０１は排出制御信号により排出装置６０７を動作させてオゾン消滅管６０２内の空気を槽外に排出することで、更に能動的に余剰なオゾンの酸化・消滅を制御することが可能である。
【００６４】
また、前述した図４において、オゾン消滅制御装置５０１は、オゾン検出部６０５でオゾンが多量に検出された場合、オゾン消滅制御装置内の制御回路部６０１は外気導入制御信号により外気導入装置６０４を動作させてオゾン消滅管６０２内に新たな外気を入れることができるようにし、オゾン検出部６０５で検出したオゾン量が十分排出できる程度に下がった場合、前記オゾン消滅制御装置内の前記制御回路部６０１は排出制御信号により排出装置６０７を動作させてオゾン消滅管６０２内の空気を槽外に排出することで、更に能動的に余剰なオゾンの酸化・消滅を制御することが可能である。
【００６５】
さらに、前述した図５のオゾン消滅制御装置におけるオゾン検出部６０５、または前述した図３におけるオゾン検出器２０１、または前述した図４におけるオゾン検出器３０１が余剰なオゾンを検出した際、オゾン消滅管６０２の内部にオゾン検出量に応じて取り込んだオゾンを含む空気に対して振動を付加する加振装置６０８を具備することによって、取り込んだ空気に対し振動を加え、その振動の強弱を制御することで余剰なオゾンの酸化・消滅の速さを制御することも可能である。
【産業上の利用可能性】
【００６６】
本発明にかかる洗濯機は、従来検知していなかった有害なオゾン量を検出可能となる。すなわち、オゾンによる清浄・脱臭後、およびオゾン溶解水による洗濯後のオゾンを酸化・消滅する際にオゾン量を直接検出しながら処理できるので、より安全にオゾンを扱うことができる。また、更に検出したオゾン量を基に、オゾンを能動的に酸化・消滅させる装置を具備することで、洗濯物の状態に対応した必要十分なオゾン量を発生させることで、より安全にオゾンを扱うことができる。
【００６７】
それゆえ、より安全にオゾンを利用した洗濯を行える洗濯装置が提供できる点で有用であり、オゾンを使用する冷蔵庫等にも本発明を応用できる。
【図面の簡単な説明】
【００６８】
【図１】本発明の実施の形態１における洗濯機のブロック図
【図２】本発明の実施の形態２における洗濯機のブロック図
【図３】本発明の実施の形態３における洗濯機のブロック図
【図４】本発明の実施の形態４における洗濯機のブロック図
【図５】本発明の実施の形態３および４におけるオゾン消滅制御装置のブロック図
【図６】従来の洗濯機のブロック図
【符号の説明】
【００６９】
１１  循環路
１２  循環路
１３  循環路
１４  循環路
１５  循環路
１６  循環路
１７  循環路
１８  送出路
１９  吸入路
２０  送出路
１０１  洗濯槽
１０３  貯水槽
１０４  オゾン発生装置
１０５  オゾン注入装置
１０６  循環ポンプ
１０７  オゾン水送出ポンプ
１０８  制御回路部
２０１  オゾン検出器
３０１  オゾン検出器
４０１  オゾン消滅制御装置
５０１  オゾン消滅制御装置
６０８  加振装置
【図１】
2009061208.tif 000003
【図２】
2009061208.tif 000004
【図３】
2009061208.tif 000005
【図４】
2009061208.tif 000006
【図５】
2009061208.tif 000007
【図６】
2009061208.tif 000008